(57)【特許請求の範囲】
【請求項１】
バイスプレートにより押圧されるワークを受けて、そのバイスプレートと協働してワークを固定するバイス装置を構成するフェンスにおいて、
テーブル上に移動可能に設けたフェンス本体と、
前記テーブルに前記フェンス本体を固定及びその固定を解除するために相互に螺合された固定側のねじ部材および回動側のねじ部材と
を備え、
前記回動側のねじ部材に、そのねじ部材を回動操作する操作レバーを一体的に設け、
さらに、前記操作レバーを前記テーブルの下側に配置し、
さらに、前記操作レバーをレバー軸方向の摺動により操作位置と格納位置とに位置変更可能とした
バイス装置のフェンス。
【請求項２】
前記操作レバーに摺動抵抗を付与する摺動抵抗付与部材を備えた請求項１記載のバイス装置のフェンス。
【発明の詳細な説明】
【０００１】
【発明の属する技術分野】
この発明は、例えば、切断機や角のみ機等におけるバイス装置のフェンスに関する。
【０００２】
【従来の技術】
バイス装置のフェンスの従来例を図８および図９を参照して述べる。図８はバイス装置のフェンスの平面図、図９は図８のＩＸ−ＩＸ線断面図である。テーブル１０１上に移動可能に設けられるフェンス本体１２２は、テーブル１０１上に面接触状に置かれる取り付け板部１２３と、取り付け板部１２３の前側縁から直角に立ち上がるワーク基準面１２５を形成するワーク案内板部１２６とを有している。
【０００３】
フェンス本体１２２の取り付け板部１２３の右端部には支持孔１２８が形成されている。また取り付け板部１２３には、前記支持孔１２８を中心とするほぼ円弧状のガイド長孔１３０が形成されている。前記フェンス本体１２２は、支持ボルト１４５のねじ軸部（符号省略）を前記支持孔１２８に挿通しかつテーブル１０１の第１めねじ孔１４７に螺合されることにより、テーブル１０１上に回動可能に取り付けられている。またフェンス本体１２２は、案内ボルト１５１のねじ軸部（符号省略）を前記ガイド長孔１３０に挿通しかつテーブル１０１の第２めねじ孔１６１に螺合することにより、テーブル１０１上に固定されている。
【０００４】
上記バイス装置のフェンスが、例えば、切断機等に装備された場合において、ワークの角度切断等に際し、フェンス本体１２２の固定角度を調整する場合には、案内ボルト１５１の頭部（符号省略）にボックスレンチ等の工具を係合して、その工具により案内ボルト１５１を回動して緩めた後、フェンス本体１２２を支持ボルト１４５の回りに回動して固定角度を調整する。このとき、フェンス本体１２２のガイド長孔１３０が案内ボルト１５１に沿って摺動する。前記固定角度の調整後、再び、前記工具により固定用ボルトが締め付けられる。
【０００５】
なお、上記したようなバイス装置のフェンスは、例えば、同一出願人が提案した実公平５−２５８１６号公報に開示されている。
【０００６】
【発明が解決しようとする課題】
従来のバイス装置のフェンスによると、フェンス本体１２２の固定角度の調整にボックスレンチ等の工具が必要であるばかりでなく、その工具を案内ボルト１５１に対し着脱しなければならず、その調整作業が煩雑であるといった問題があった。
【０００７】
そこで、本発明の目的は、フェンス本体をテーブルに締着する回動側のねじ部材を工具不要で操作可能にして、フェンス本体の固定角度の調整作業を容易に行うことのできるバイス装置のフェンスを提供することにある。
【０００８】
【課題を解決するための手段】
上記の目的を達成するために、本発明の請求項１記載の発明は、
バイスプレートにより押圧されるワークを受けて、そのバイスプレートと協働してワークを固定するバイス装置を構成するフェンスにおいて、
テーブル上に移動可能に設けたフェンス本体と、
前記テーブルに前記フェンス本体を固定及びその固定を解除するために相互に螺合された固定側のねじ部材および回動側のねじ部材と
を備え、
前記回動側のねじ部材に、そのねじ部材を回動操作する操作レバーを一体的に設け、
さらに、前記操作レバーを前記テーブルの下側に配置し、
さらに、前記操作レバーをレバー軸方向の摺動により操作位置と格納位置とに位置変更可能とした
バイス装置のフェンスである。
このように構成すると、操作レバーを操作することによって、回動側のねじ部材を締着することによりテーブルにフェンス本体を固定したり、その回動側のねじ部材を緩めることによりテーブルに対するフェンス本体の固定を解除したりできる。したがって、フェンス本体をテーブルに固定及びその固定を解除する回動側のねじ部材を工具不要で操作可能である。このため、フェンス本体の固定角度の調整作業を容易に行うことができる。
【０００９】
また、操作レバーをテーブルの下側に配置したことにより、テーブルの下側のスペースを有効に活用することができる。また、従来のボックスレンチを利用するものではテーブルの上方に作業用のスペースを必要としていたが、上記構成によればそのような作業用のスペースの必要がなくなる。
【００１０】
また、操作レバーをレバー軸方向の摺動により操作位置と格納位置とに位置変更可能としたものであるから、操作レバーの必要時には、操作レバーをレバー軸方向に摺動させて操作位置に位置変更することにより、操作しやすい位置で操作することができる。また、操作レバーの不要時には、前記と反対方向に操作レバーを摺動させて格納位置に位置変更することにより、コンパクトに格納しておくことができる。
【００１１】
また、請求項２記載の発明は、操作レバーに摺動抵抗を付与する摺動抵抗付与部材を備えた請求項１記載のバイス装置のフェンスである。このように構成すると、摺動抵抗付与部材によって操作レバーに摺動抵抗が付与されるため、操作レバーのがたつきや不要な摺動による位置変更を防止することができる。
【００１２】
【発明の実施の形態】
本発明の一実施の形態を図面に基づいて説明する。本実施の形態におけるバイス装置のフェンスは、切断機に装備されたものであるから、切断機を述べた後に詳述することにする。
【００１３】
切断機について図１および図２を参照して述べる。図１は切断機の左側面図、図２は同平面図である。図１に示すように、テーブル１はほぼ長四角形平板状に形成されている。テーブル１の後端部（図示左端部）上には、固定ブラケット２が設置されている。固定ブラケット２の上端部には、傾動ブラケット５が支持軸３を介して回動可能に支持されている。傾動ブラケット５は、テーブル１の上方において上下方向に傾動される。
【００１４】
前記傾動ブラケット５には、駆動モータ６が装備されている。駆動モータ６のモータ軸（図示省略）には、回転工具であるチップソーカッタ８が、周知のとおり締め付けフランジにより着脱可能に取り付けられている。前記駆動モータ６のモータハウジング１１には、その駆動モータ６のオン・オフを制御するトリガ１２を備えたハンドル１３が設けられている。
【００１５】
前記モータハウジング１１には、前記チップソーカッタ８のほぼ上半部を覆うブレードケース１５が設けられている。ブレードケース１５には、前記チップソーカッタ８のほぼ下半部を覆うほぼ円弧形状の安全カバー１６が、モータ軸回りに回動可能に設けられている。
【００１６】
前記テーブル１上には、前記固定ブラケット２の前方付近に位置するスプリング支持ブラケット１７が設置されている。また、前記傾動ブラケット５には、スプリング座部１８が設けられている。そのスプリング座部１８と前記スプリング支持ブラケット１７との間には、前記傾動ブラケット５を常には上方へ付勢する付勢スプリング２０が介装されている。
【００１７】
上記のように構成された切断機において、作業者によるハンドル１３の下方への押し下げ操作により、傾動ブラケット５および駆動モータ６を主体とする駆動部が付勢スプリング２０の付勢に抗して下降される。このとき、チップソーカッタ８は、トリガ１２のオン操作による駆動モータ６の駆動をもって回転し、テーブル１上の被加工材いわゆるワーク（図示省略）を切断する。
【００１８】
前記駆動部の下降後、ハンドル１３の上方への押し上げ操作により、前記付勢スプリング２０の付勢と相俟って前記駆動部が上昇される。なお安全カバー１６は、チップソーカッタ８の切断動作に支障をきたすことがないように、前記駆動部の昇降動作に連動して回動開閉させられる。
【００１９】
続いて、上記切断機に装備されたバイス装置のフェンスについて詳述する。図２において、バイス装置のフェンス（符号、２１を付す。）の主体をなすフェンス本体２２は、前記テーブル１上におけるスプリング支持ブラケット１７の前方付近に設置されている。図１のＩＶ−ＩＶ線断面図が図４に示されている。
【００２０】
図１および図４に示すように、フェンス本体２２は、テーブル１上に面接触状に置かれる取り付け板部２３と、取り付け板部２３の前側縁から直角に立ち上がるワーク基準面２５を形成するワーク案内板部２６と、取り付け板部２３の左右側縁から直角に立ち上がりかつ前記ワーク案内板部２６の左右端縁から後方に直角に連続して延びる左右の端板部２７とを有している。
【００２１】
図４において、前記取り付け板部２３の右端部には支持孔２８が形成されている。また取り付け板部２３には、前記支持孔２８を中心とするほぼ円弧状のガイド長孔３０が形成されている（図２参照）。図２に示すように、取り付け板部２３のガイド長孔３０の後半部（図示上半部）は、取り付け板部２３の後縁部にほぼ山形形状に突出する張り出し部３１に延びている。前記張り出し部３１の左端部には指針３２が取り付けられている。なお指針３２は、前記テーブル１上に付された目盛（図示省略）を指すことによって、フェンス本体２２の回動角度を指示する。
【００２２】
次に、前記フェンス本体２２を取り付けるテーブル１の詳細な構成について、前記図４の他、図３を参照して説明する。なお、図３はテーブル１の底面図である。テーブル１は、テーブル面を形成する天板部３５と、その天板部３５の周縁部から下方へ支持脚状に突出する前後左右の側壁部３６とからなる。
【００２３】
天板部３５には、その右端寄りの位置に前後方向に延びるカッタ逃がし溝３７が形成されている。また天板部３５には、図４に示すように、前記カッタ逃がし溝３７の前端部の左方付近にピン取り付け凹部３８が形成され、さらにピン取り付け凹部３８の左方付近に係合凹部４０が形成されている。
【００２４】
また、図１および図２に示すように、左側の側壁部３６には、前後の両端部を残して凹む凹壁部４１，４２が連設されている。凹壁部４１は左側の側壁部３６の後半部に形成された浅い凹壁部を示し、凹壁部４２は左側の側壁部３６の前半部に形成された深い凹壁部を示している。両凹壁部４１，４２には、前後方向に連続するレバー用スリット溝４３が形成されている。
【００２５】
図４に示すように、前記ピン取り付け凹部３８はほぼ有底円筒形状に形成されており、そのピン取り付け凹部３８には支持ピン４５が植設されている。支持ピン４５の支持軸部４６はテーブル上に突出しており、その支持軸部４６に前記フェンス本体２２の支持孔２８が回動可能に嵌合されている。これにより、フェンス本体２２が支持ピン４５を中心として回動可能とされている（図２中、二点鎖線参照）。
【００２６】
図４の他、図４のＶ−Ｖ線断面図を示した図５、図４のＶＩ−ＶＩ線断面図を示した図６において、前記係合凹部４０は、フェンス本体２２のガイド長孔３０の中心線上に位置する軸線上に形成されている。係合凹部４０は底面にねじ挿通孔４８を有するほぼ円筒状をなし、かつその左右の側壁部に底部を有する左右の係合部５０（図６参照）が形成されている。
【００２７】
図５に示すように、前記フェンス本体２２のガイド長孔３０には、案内ボルト５１のねじ軸部（符号省略）が上部ワッシャ５３を通して挿通されている。その案内ボルト５１のねじ軸部の上部には、前記係合凹部４０に対応するピン孔５５が半径方向に貫通されている。そのピン孔５５に係合ピン５６が挿着されている。なお、係合ピン５６はピン孔５５に対し遊挿もしくは圧入され、その両端部が前記案内ボルト５１のねじ軸部より突出されている（図６参照）。また案内ボルト５１は、ねじ軸部の先端部におねじ５７を有している（図５参照）。なお、案内ボルト５１は、本発明でいう固定側のねじ部材に相当している。
【００２８】
図５に示すように、前記案内ボルト５１のねじ軸部は、前記係合ピン５６とともに前記天板部３５の係合凹部４０に挿通されている。これとともに、図６に示すように、前記係合ピン５６の両端部が係合凹部４０に係合されることにより、テーブル１に対する案内ボルト５１の軸回りの回り止めがなされる。さらに、図５に示すように、前記案内ボルト５１のおねじ５７には、下部ワッシャ５８を通して締着ナット６０が締着位置までねじ合わされている。締着ナット６０は底壁を有しており、その底壁にめねじ孔６１が形成されている。なお、締着ナット６０は本発明でいう回動側のねじ部材に相当している。また、図４のＶＩＩ−ＶＩＩ線断面図が図７に示されている。
【００２９】
図５および図７に示すように、前記締着ナット６０には、ナットホルダ７１のほぼ有底六角孔形状の取り付け孔６２が係合されている。ナットホルダ７１の取り付け孔６２の底部には、同心状をなすねじ挿通孔６３が形成されている。取り付けねじ６４のねじ軸部（符号省略）が前記ねじ挿通孔６３を通して締着ナット６０のめねじ孔６１にねじ合わされて締着されている。
【００３０】
ナットホルダ７１の側部には、ほぼ有底長四角形状のレバー取り付け部６５が形成されている。取り付け孔６２の壁部から平行状に延びる一対の側壁６６には、同一口径のレバー挿通孔６７が同一軸線上に形成されている。また、図５に示すように、レバー取り付け部６５の底面には凹溝６８が形成されており、その凹溝６８に弾性ゴム製の摺動抵抗付与部材７０が取り付けられている。摺動抵抗付与部材７０の上端部は、レバー取り付け部６５の底面上に突出されている。
【００３１】
前記ナットホルダ７１のレバー挿通孔６７には、一本の丸棒形状の操作レバー７２が前記テーブル１のレバー用スリット溝４３を通して挿通されている（図３および図４参照）。図４に示すように、前記操作レバー７２の操作端は前記テーブル１の当該側壁部３６より突出されており、その操作端には操作ノブ７５が取り付けられている。また、図７に示すように、操作レバー７２の挿入端はナットホルダ７１より突出されており、その挿入端面には抜け止めプラグ７６が取り付けられている。
【００３２】
図３において、前記操作ノブ７５を前方（図示上方）へ移動させると、操作レバー７２が案内ボルト５１の軸回りに回動する。このとき、操作レバー７２はレバー用スリット溝４３に沿って移動する。これに伴い、ナットホルダ７１とともに締着ナット６０が案内ボルト５１に締着されることにより、テーブル１にフェンス本体２２が固定される。
【００３３】
また、前記固定状態より、前記操作ノブ７５を後方（図３において下方）へ移動させると、前記と逆方向に向けて操作レバー７２が案内ボルト５１の軸回りに回動し、操作レバー７２はレバー用スリット溝４３に沿って移動する。これに伴い、ナットホルダ７１とともに締着ナット６０が案内ボルト５１に対し緩められることにより、テーブル１に対するフェンス本体２２の固定が解除される。これにより、フェンス本体２２を支持ピン４５の軸回りに回動させることにより、その角度調整を行うことができる。このとき、案内ボルト５１に沿ってガイド長孔３０が摺動する。前記フェンス本体２２の固定角度を調整後、再び、操作ノブ７５を前方へ移動させることにより、前に述べたように、テーブル１にフェンス本体２２が固定される。
【００３４】
また、操作レバー７２は、図３に示すように、前記テーブル１の深い凹壁部４２に収まる格納位置に挿入可能である（図３中、二点鎖線７２ａ参照）。また、操作ノブ７５は、前記格納位置より引き出して操作しやすい操作位置に位置変更可能である（図３中、二点鎖線７２ｂ参照）。また操作レバー７２には、前記ナットホルダ７１に取り付けた摺動抵抗付与部材７０の上端部が弾性をもって当接することにより、摺動抵抗が付与される（図５参照）。
【００３５】
また、図１および図２に示すように、前記テーブル１の前端部上には、前記フェンス２１と協働してバイス装置を構成するクイックバイス７７が設けられている。クイックバイス７７は、例えば、前記実公平５−２５８１６号公報において開示されたものと同一の構造であるから簡単に述べるにとどめる。クイックバイス７７は、バイス面７８を有するバイスプレート８０と、そのバイスプレート８０を先端部にピン８１により回動可能に取り付けたバイススクリュ８２と、前記テーブル１上に固定されかつ前記バイススクリュ８２を遊挿したスクリュガイド８３と、前記スクリュガイド８３に保持されかつ前記バイススクリュ８２と螺合する位置と前記螺合を解除する位置とに切り換え可能に構成されたバイスナット８４とを備えてなる。
【００３６】
上記したバイス装置のフェンス２１によれば、前に述べたように、操作レバー７２を操作することによって締着ナット６０を締着することによりテーブル１にフェンス本体２２を固定したり、その締着ナット６０を緩めることによりテーブル１に対するフェンス本体２２の固定を解除したりできる。したがって、フェンス本体２２をテーブル１に固定及びその固定を解除する締着ナット６０を工具不要で操作可能である。このため、フェンス本体２２の固定角度の調整作業を容易に行うことができる。
【００３７】
また、操作レバー７２をテーブル１の下側に配置したことにより、テーブル１の下側のスペースを有効に活用することができる。また、従来のボックスレンチを利用するものではテーブル１の上方に作業用のスペースを必要としていたが、上記構成によればそのような作業用のスペースの必要がなくなる。
【００３８】
また、操作レバー７２をレバー軸方向の摺動により操作位置と格納位置とに位置変更可能としたものであるから、操作レバー７２の必要時には、操作レバー７２をレバー軸方向に摺動させて操作位置に位置変更することにより、操作しやすい位置で操作することができる。また、操作レバー７２の不要時には、前記と反対方向に操作レバー７２を摺動させて格納位置に位置変更することにより、コンパクトに格納しておくことができる。
【００３９】
また、操作レバー７２に摺動抵抗を付与する摺動抵抗付与部材７０を備えたものであるから、摺動抵抗付与部材７０によって操作レバー７２に摺動抵抗が付与されるため、操作レバー７２のがたつきや不要な摺動による位置変更を防止することができる。
【００４０】
本発明は前記実施の形態に限定されるものではなく、本発明の要旨を逸脱しない範囲における変更が可能である。例えば、フェンス本体２２は、テーブル１上を回動するものに限らず、テーブル１上を直線方向にスライドするものでも良い。また、上記実施の形態では、固定側のねじ部材として案内ボルト５１、回動側のねじ部材として締着ナット６０を使用したが、これとは逆に、案内ボルト５１を回動側のねじ部材とし、また締着ナット６０を固定側のねじ部材としてもよい。また、案内ボルト５１と締着ナット６０とを逆配置、すなわちテーブル１側に案内ボルト５１を配置しまたフェンス本体２２側に締着ナット６０を配置してもよい。
【００４１】
また、上記実施の形態におけるナットホルダ７１を排除し、操作レバー７２を締着ナット６０に直接取り付けても良いし、あるいは操作レバー７２を締着ナット６０に一体形成することも考えられる。また、案内ボルト５１が回動側のねじ部材である場合には、案内ボルト５１の頭部に操作レバー７２を設ければ良い。また、摺動抵抗付与部材７０は、ナットホルダ７１および／または操作レバー７２に設けることができる。摺動抵抗付与部材７０には、上記実施の形態の弾性ゴムに限らず、固定ばね、ブラシ等を採用することが考えられる。
【００４２】
【発明の効果】
この発明のバイス装置のフェンスによれば、フェンス本体をテーブルに固定及びその固定を解除する回動側のねじ部材を工具不要で操作可能であるため、フェンス本体の固定角度の調整作業を容易に行うことができる。
【図面の簡単な説明】
【図１】  切断機の左側面図である。
【図２】  切断機の平面図である。
【図３】  テーブルの一部破断底面図である。
【図４】  図１のＩＶ−ＩＶ線断面図である。
【図５】  図４のＶ−Ｖ線断面図である。
【図６】  図４のＶＩ−ＶＩ線断面図である。
【図７】  図４のＶＩＩ−ＶＩＩ線断面図である。
【図８】  従来例を示す平面図である。
【図９】  図８のＩＸ−ＩＸ線断面図である。
【符号の説明】
１  テーブル
２１  フェンス
２２  フェンス本体
５１  案内ボルト（固定側のねじ部材）
６０  締着ナット（回動側のねじ部材）
７０  摺動抵抗付与部材
７１  ナットホルダ
７２  操作レバー
【図１】
0003676928.tif 000002
【図２】
0003676928.tif 000003
【図３】
0003676928.tif 000004
【図４】
0003676928.tif 000005
【図５】
0003676928.tif 000006
【図６】
0003676928.tif 000007
【図７】
0003676928.tif 000008
【図８】
0003676928.tif 000009
【図９】
0003676928.tif 000010